(57)【要約】【課題】蓄電素子から発せられる熱による電気機器への影響を低減することができる蓄電装置を提供する。【解決手段】蓄電素子４００と、蓄電素子４００に接続される電気機器７００とを備える蓄電装置１０であって、蓄電素子４００は、電極体が収容される容器４１０を有し、電気機器７００は、容器４１０から離隔して配置されている。【選択図】図２
2014199722.tif 000002
【特許請求の範囲】
【請求項１】
蓄電素子と、前記蓄電素子に接続される電気機器とを備える蓄電装置であって、
前記蓄電素子は、電極体が収容される容器を有し、
前記電気機器は、前記容器から離隔して配置されている
蓄電装置。
【請求項２】
前記蓄電素子は、さらに、電極端子を有し、
前記電気機器は、前記電極端子よりも前記容器から離れた位置に配置されている
請求項１に記載の蓄電装置。
【請求項３】
前記蓄電装置は、内方に前記蓄電素子が収容される外装体本体の開口部を塞ぐ蓋体を備え、
前記蓋体は、外側に配置される外蓋部と、前記外蓋部と前記蓄電素子との間に配置される内蓋部とを有し、
前記電気機器は、前記内蓋部と前記外蓋部との間に配置されている
請求項１または２に記載の蓄電装置。
【請求項４】
前記電気機器は、内方に前記蓄電素子が収容される外装体本体の開口部よりも外方に配置されている
請求項１〜３のいずれか１項に記載の蓄電装置。
【請求項５】
前記内蓋部は、前記電気機器と、前記蓄電素子が有する安全弁との間に、当該安全弁を覆うように配置されている
請求項１〜４のいずれか１項に記載の蓄電装置。
【請求項６】
前記内蓋部は、前記蓄電素子の安全弁が配置されている面に対向して、当該面を覆うように配置されている
請求項１〜５のいずれか１項に記載の蓄電装置。
【請求項７】
前記電気機器は、前記電気機器から前記蓄電素子の方向を見た場合に、前記蓄電素子が有する安全弁と異なる位置に配置されている
請求項１〜６のいずれか１項に記載の蓄電装置。
【請求項８】
さらに、
前記内蓋部と前記蓄電素子との間に配置され、内方に前記蓄電素子が収容される外装体本体内での前記蓄電素子の位置を規制する規制部材を備える
請求項１〜７のいずれか１項に記載の蓄電装置。
【発明の詳細な説明】
【技術分野】
【０００１】
本発明は、蓄電素子と、当該蓄電素子に接続される電気機器とを備える蓄電装置に関する。
【背景技術】
【０００２】
従来、充放電可能な蓄電素子に、当該蓄電素子の充電状態や放電状態などを監視するための制御基板などの電気機器が取り付けられた蓄電装置が知られている。例えば特許文献１には、複数の蓄電素子（単電池）を備え、当該複数の蓄電素子の直上に電気機器（特許文献１においては配線ボード）が配置された蓄電装置が開示されている。
【先行技術文献】
【特許文献】
【０００３】
【特許文献１】特開２０１２−５９６６３号公報
【発明の概要】
【発明が解決しようとする課題】
【０００４】
しかしながら、上記従来の蓄電装置では、蓄電素子から発せられる熱により、電気機器が影響を受けるおそれがあるという問題がある。
【０００５】
本発明は、上記問題を解決するためになされたものであり、蓄電素子から発せられる熱による電気機器への影響を低減することができる蓄電装置を提供することを目的とする。
【課題を解決するための手段】
【０００６】
上記目的を達成するために、本発明の一態様に係る蓄電装置は、蓄電素子と、前記蓄電素子に接続される電気機器とを備える蓄電装置であって、前記蓄電素子は、電極体が収容される容器を有し、前記電気機器は、前記容器から離隔して配置されている。
【０００７】
これによれば、蓄電装置において、電気機器は、蓄電素子の容器から離隔して配置されているため、蓄電素子から発せられる熱が電気機器に伝わるのを抑制することができる。したがって、当該蓄電装置によれば、蓄電素子から発せられる熱による電気機器への影響を低減することができる。
【０００８】
また、前記蓄電素子は、さらに、電極端子を有し、前記電気機器は、前記電極端子よりも前記容器から離れた位置に配置されていることにしてもよい。
【０００９】
これによれば、蓄電装置において、電気機器は、蓄電素子の電極端子よりも容器から離れた位置に配置されているため、当該電極端子周りに流れる大電流によって発生する磁場の影響を電気機器が受けるのを抑制することができる。
【００１０】
また、前記蓄電装置は、内方に前記蓄電素子が収容される外装体本体の開口部を塞ぐ蓋体を備え、前記蓋体は、外側に配置される外蓋部と、前記外蓋部と前記蓄電素子との間に配置される内蓋部とを有し、前記電気機器は、前記内蓋部と前記外蓋部との間に配置されていることにしてもよい。
【００１１】
これによれば、蓄電装置において、蓋体の内蓋部は外蓋部と蓄電素子との間に配置され、電気機器は当該内蓋部と外蓋部との間に配置されている。つまり、電気機器と蓄電素子との間に、内蓋部が配置されている。このため、蓄電素子から発せられる熱が内蓋部によって遮断される。したがって、当該蓄電装置によれば、蓄電素子から発せられる熱による電気機器への影響を低減することができる。
【００１２】
また、前記電気機器は、内方に前記蓄電素子が収容される外装体本体の開口部よりも外方に配置されていることにしてもよい。
【００１３】
これによれば、蓄電装置において、電気機器は、蓄電素子を収容している外装体本体の開口部よりも外方に配置されているため、蓄電素子から離れて配置されている。このため、当該蓄電装置によれば、蓄電素子から発せられる熱による電気機器への影響を低減することができる。
【００１４】
また、前記内蓋部は、前記電気機器と、前記蓄電素子が有する安全弁との間に、当該安全弁を覆うように配置されていることにしてもよい。
【００１５】
これによれば、内蓋部は、電気機器と蓄電素子の安全弁との間に、当該安全弁を覆うように配置されている。つまり、蓄電素子の電気機器側の面（例えば上面）に安全弁が設けられており、当該安全弁の電気機器側の方向（例えば上方）に内蓋部が配置されている。このため、蓄電素子の電気機器側の面に安全弁が設けられている場合でも、当該安全弁から発せられる熱が内蓋部によって遮断され、蓄電素子の安全弁からの熱による電気機器への影響を低減することができる。
【００１６】
また、前記内蓋部は、前記蓄電素子の安全弁が配置されている面に対向して、当該面を覆うように配置されていることにしてもよい。
【００１７】
これによれば、内蓋部は、蓄電素子の安全弁が配置されている面に対向して、当該面を覆うように配置されているため、当該安全弁から排出されたガスが内蓋部によって遮断され、蓄電素子の安全弁からのガスによる電気機器への影響を低減することができる。
【００１８】
また、前記電気機器は、前記電気機器から前記蓄電素子の方向を見た場合に、前記蓄電素子が有する安全弁と異なる位置に配置されていることにしてもよい。
【００１９】
これによれば、電気機器から蓄電素子の方向を見た場合（例えば上方から見た場合）に、電気機器と蓄電素子の安全弁とが異なる位置に配置されている。このため、当該安全弁からのガスによる電気機器への影響をさらに低減することができる。
【００２０】
また、さらに、前記内蓋部と前記蓄電素子との間に配置され、内方に前記蓄電素子が収容される外装体本体内での前記蓄電素子の位置を規制する規制部材を備えることにしてもよい。
【００２１】
これによれば、内蓋部と蓄電素子との間に規制部材を配置することで、電気機器と蓄電素子との間のスペースを確保することができるため、蓄電素子から発せられる熱による電気機器への影響をさらに低減することができる。
【発明の効果】
【００２２】
本発明における蓄電装置によれば、蓄電素子から発せられる熱による電気機器への影響を低減することができる。
【図面の簡単な説明】
【００２３】
【図１】本発明の実施の形態に係る蓄電装置の外観を示す斜視図である。
【図２】本発明の実施の形態に係る蓄電装置を分解した場合の各構成要素を示す分解斜視図である。
【図３】本発明の実施の形態に係る蓄電素子の外観を示す斜視図である。
【図４】本発明の実施の形態に係る外装体本体内方に蓄電素子が配置された状態を示す斜視図である。
【図５】本発明の実施の形態に係る外装体本体内方に蓄電素子と規制部材とが配置された状態を示す斜視図である。
【図６】本発明の実施の形態に係る外装体本体内方に蓄電素子と規制部材とバスバーとが配置された状態を示す斜視図である。
【図７】本発明の実施の形態に係る外装体本体に蓋体の内蓋部が配置された状態を示す斜視図である。
【図８】本発明の実施の形態に係る蓋体の内蓋部に電気機器が配置された状態を示す斜視図である。
【図９】本発明の実施の形態に係る蓋体の内蓋部に外蓋部が配置される状態を示す斜視図である。
【図１０】本発明の実施の形態の変形例に係る電気機器と蓄電素子の安全弁との位置関係を示す平面図である。
【発明を実施するための形態】
【００２４】
以下、図面を参照しながら、本発明の実施の形態に係る蓄電装置について説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００２５】
（実施の形態）
まず、蓄電装置１０の構成について、説明する。
【００２６】
図１は、本発明の実施の形態に係る蓄電装置１０の外観を示す斜視図である。図２は、本発明の実施の形態に係る蓄電装置１０を分解した場合の各構成要素を示す分解斜視図である。
【００２７】
なお、これらの図では、Ｚ軸方向を上下方向として示しており、以下ではＺ軸方向を上下方向として説明するが、使用態様によってはＺ軸方向が上下方向にならない場合も考えられるため、Ｚ軸方向は上下方向となることには限定されない。以下の図においても、同様である。
【００２８】
蓄電装置１０は、外部からの電気を充電し、また外部へ電気を放電することができる装置である。これらの図に示すように、蓄電装置１０は、外装体１００、及び、外装体１００に収容される複数の蓄電素子４００と規制部材５００とバスバー６００と電気機器７００とを備えている。
【００２９】
外装体１００は、蓄電装置１０の外装体を構成する矩形状（箱状）の部材である。外装体１００は、複数の蓄電素子４００や電気機器７００などを所定の位置に配置し、複数の蓄電素子４００や電気機器７００などを衝撃などから保護する。また、外装体１００は、例えば樹脂などの絶縁性の材料により構成されており、蓄電素子４００や電気機器７００などが外部の金属部材などに接触することを回避する。
【００３０】
ここで、外装体１００は、外装体本体２００と蓋体３００とを有している。外装体本体２００は、外装体１００の本体を構成する有底矩形筒状の部材である。蓋体３００は、外装体１００の蓋を構成する部材であり、外装体本体２００の開口部２１０を塞ぐ扁平な矩形状の部材である。
【００３１】
また、蓋体３００は、外蓋部３１０と内蓋部３２０とを有しており、内蓋部３２０には、正極外部端子３２１と負極外部端子３２２とが設けられている。つまり、蓄電装置１０は、正極外部端子３２１及び負極外部端子３２２を介して、外部からの電気を充電し、また外部へ電気を放電する。
【００３２】
具体的には、外装体本体２００内方に、複数の蓄電素子４００、規制部材５００、バスバー６００の順に配置され、外装体本体２００の開口部２１０が内蓋部３２０で閉止されている。このように、重量物である複数の蓄電素子４００を最下部に配置することで、蓄電装置１０の安定性が向上する。
【００３３】
また、内蓋部３２０上に電気機器７００が配置されて、外蓋部３１０が電気機器７００を覆うように内蓋部３２０上に配置される。このように、上部に電装部品を一体化させることで、蓄電装置１０の組立性及びメンテナンス性が向上する。以上の各構成要素の具体的な構成について、以下に詳細に説明する。
【００３４】
まず、蓄電素子４００について、詳細に説明する。図３は、本発明の実施の形態に係る蓄電素子４００の外観を示す斜視図である。
【００３５】
蓄電素子４００は、電気を充電し、また、電気を放電することのできる二次電池であり、より具体的には、リチウムイオン二次電池などの非水電解質二次電池である。なお、蓄電素子４００は、非水電解質二次電池には限定されず、非水電解質二次電池以外の二次電池であってもよいし、キャパシタであってもよい。
【００３６】
同図に示すように、蓄電素子４００は、容器４１０と、正極端子４２０と、負極端子４３０とを備えている。なお、容器４１０の内方には、正極集電体、負極集電体、電極体（発電要素）、電解液などが収容されているが、これらは省略して図示してある。
【００３７】
容器４１０は、矩形筒状で底を備える容器本体４１１と、容器本体４１１の開口を閉塞する板状部材である容器蓋部４１２とで構成されている。また、容器４１０は、電極体等を内部に収容後、容器蓋部４１２と容器本体４１１とが溶接等されることにより、内部を密封することができるものとなっている。なお、容器蓋部４１２及び容器本体４１１の材質は、特に限定されないが、例えばステンレス鋼など溶接可能な金属であるのが好ましい。
【００３８】
また、容器４１０の容器蓋部４１２には、円形状の安全弁４１３が設けられている。ここで、安全弁４１３は、容器４１０内方の圧力の上昇により容器４１０の密閉状態を開放することで、容器４１０内方の圧力を開放する安全弁である。なお、安全弁４１３の形状は円形状には限定されない。また、本実施の形態では、安全弁４１３は、容器蓋部４１２に設けられているが、安全弁４１３が容器本体４１１に設けられている構成でもかまわない。
【００３９】
なお、容器４１０に収容される電極体は、負極と正極とセパレータとが巻き回されて形成された巻回型形状であってもよいし、平板状極板を積層した形状でもよい。また、電極体に用いられる正極活物質または負極活物質としては、蓄電素子４００の性能を損なうものでなければ適宜公知の材料を使用できる。また、容器４１０に封入される電解液（非水電解液）としても、蓄電素子４００の性能を損なうものでなければその種類に特に制限はなく様々なものを選択することができる。
【００４０】
正極端子４２０は、電極体の正極に電気的に接続された電極端子であり、負極端子４３０は、電極体の負極に電気的に接続された電極端子であり、いずれも容器蓋部４１２に取り付けられている。つまり、正極端子４２０及び負極端子４３０は、電極体に蓄えられている電気を蓄電素子４００の外部空間に導出し、また、電極体に電気を蓄えるために蓄電素子４００の内部空間に電気を導入するための金属製の電極端子である。
【００４１】
具体的には、蓄電装置１０に備えられた複数の蓄電素子４００のうち正極外部端子３２１側に配置された蓄電素子４００の正極端子４２０が正極外部端子３２１と接続され、当該蓄電素子４００の負極端子４３０は、隣接する蓄電素子４００の正極端子４２０と接続される。また同様に、当該複数の蓄電素子４００のうち負極外部端子３２２側に配置された蓄電素子４００の負極端子４３０が負極外部端子３２２と接続され、当該蓄電素子４００の正極端子４２０は、隣接する蓄電素子４００の負極端子４３０と接続される。また、その他の蓄電素子４００の正極端子４２０または負極端子４３０は、隣接する蓄電素子４００の負極端子４３０または正極端子４２０と接続される。
【００４２】
次に、外装体１００の外装体本体２００、規制部材５００及びバスバー６００について、詳細に説明する。
【００４３】
図４は、本発明の実施の形態に係る外装体本体２００内方に蓄電素子４００が配置された状態を示す斜視図である。また、図５は、本発明の実施の形態に係る外装体本体２００内方に蓄電素子４００と規制部材５００とが配置された状態を示す斜視図である。また、図６は、本発明の実施の形態に係る外装体本体２００内方に蓄電素子４００と規制部材５００とバスバー６００とが配置された状態を示す斜視図である。
【００４４】
これらの図に示すように、外装体本体２００は、外装体１００の本体部分であり、複数の蓄電素子４００と規制部材５００とバスバー６００とが内方に収容される。具体的には、外装体本体２００は、長方形状の底面と底面の四方を覆う４側面とで構成され上部に開口部２１０が形成された有底矩形筒状の部材であり、この開口部２１０から、複数の蓄電素子４００と規制部材５００とバスバー６００とが挿入され収容される。
【００４５】
本実施の形態では、蓄電素子４００は、容器蓋部４１２が上方に向くように、外装体本体２００内に収容されている。つまり、蓄電素子４００は、安全弁４１３が上方に向くように、外装体本体２００内に収容されている。なお、本実施の形態では、４個の蓄電素子４００が外装体本体２００内に収容されているが、外装体本体２００内に収容される蓄電素子４００の個数は限定されない。
【００４６】
また、図５に示すように、複数の蓄電素子４００の上方に、規制部材５００が配置される。つまり、規制部材５００は、内蓋部３２０と複数の蓄電素子４００との間に配置される扁平な矩形状の部材である。規制部材５００は、例えば樹脂などの絶縁性の材料により構成されている。
【００４７】
ここで、規制部材５００は、外装体本体２００内での複数の蓄電素子４００の位置を規制する部材である。具体的には、規制部材５００は、外装体本体２００の内方に嵌め込まれ、複数の蓄電素子４００を上方から押さえ込むことで、複数の蓄電素子４００を外装体本体２００に固定する。
【００４８】
また、図６に示すように、規制部材５００の上方に、バスバー６００が配置される。つまり、バスバー６００は、内蓋部３２０と複数の蓄電素子４００との間に配置される部材である。バスバー６００は、金属など導電性の部材であり、複数の蓄電素子４００に含まれる蓄電素子４００同士を電気的に接続する。具体的には、バスバー６００は、隣接する蓄電素子４００において、１の蓄電素子４００の正極端子４２０または負極端子４３０と、他の蓄電素子４００の負極端子４３０または正極端子４２０とを接続する。
【００４９】
次に、外装体１００の蓋体３００の外蓋部３１０及び内蓋部３２０と、電気機器７００について、詳細に説明する。
【００５０】
図７は、本発明の実施の形態に係る外装体本体２００に蓋体３００の内蓋部３２０が配置された状態を示す斜視図である。また、図８は、本発明の実施の形態に係る蓋体３００の内蓋部３２０に電気機器７００が配置された状態を示す斜視図である。また、図９は、本発明の実施の形態に係る蓋体３００の内蓋部３２０に外蓋部３１０が配置される状態を示す斜視図である。
【００５１】
これらの図に示すように、内蓋部３２０は、外蓋部３１０と複数の蓄電素子４００との間に配置される部材であり、電気機器７００が載置される。つまり、内蓋部３２０は、電気機器７００と複数の蓄電素子４００との間に配置される。具体的には、内蓋部３２０は、外装体本体２００内方に複数の蓄電素子４００と規制部材５００とバスバー６００とが収容された状態で、外装体本体２００の開口部２１０を塞ぐように配置される。そして、内蓋部３２０には、電気機器７００が載置される。このように、内蓋部３２０は、外装体本体２００の蓋として機能するとともに、電気機器７００の載置台としても機能する。
【００５２】
また、内蓋部３２０は、電気機器７００と、複数の蓄電素子４００が有する安全弁４１３のうち少なくとも１つの安全弁４１３との間に、当該安全弁４１３を覆うように配置されている。本実施の形態では、内蓋部３２０は、電気機器７００と、複数の蓄電素子４００が有する全ての安全弁４１３との間に、複数の蓄電素子４００が有する全ての安全弁４１３を覆うように配置されている。
【００５３】
具体的には、内蓋部３２０は、複数の蓄電素子４００の安全弁４１３が配置されている面である容器蓋部４１２の上面に対向して、当該面を覆うように配置されている。つまり、内蓋部３２０は、全ての蓄電素子４００の容器蓋部４１２の上面を覆うように配置されている。なお、内蓋部３２０は、全ての蓄電素子４００の容器蓋部４１２の上面を覆うように配置されていることに限定されず、一部の蓄電素子４００の容器蓋部４１２の上面を覆うように配置されていることにしてもかまわない。つまり、内蓋部３２０は、一部の安全弁４１３を覆うように配置されていることにしてもかまわない。
【００５４】
また、電気機器７００は、複数の蓄電素子４００の状態を取得し、監視し、制御することのできる電子的、電気的な機器であり、複数の蓄電素子４００に接続されている。具体的には、電気機器７００は、複数の蓄電素子４００の充電状態や放電状態（電圧、温度などの電池状態）などを監視するための制御基板である。当該制御基板には、例えば、当該監視を行ったり、リレーのオン、オフを制御したり、他の機器と通信を行ったりするための制御回路（図示せず）が設けられている。
【００５５】
また、電気機器７００は、外装体本体２００の開口部２１０よりも外方に配置されている。つまり、電気機器７００は、外装体本体２００の開口面よりも上方に配置されている。具体的には、電気機器７００は、内蓋部３２０と外蓋部３１０との間に配置されている。つまり、電気機器７００は、内蓋部３２０と外蓋部３１０とで挟まれることで内蓋部３２０と外蓋部３１０とに周囲を覆われて、内蓋部３２０と外蓋部３１０とに保護されるように配置されている。
【００５６】
また、容器蓋部４１２の上方に内蓋部３２０が配置され、内蓋部３２０の上方に電気機器７００が配置されている。つまり、電気機器７００は、蓄電素子４００の容器４１０との間に隙間を設けるように、蓄電素子４００の容器４１０から離隔して配置されている。また、電気機器７００は、蓄電素子４００の電極端子である正極端子４２０及び負極端子４３０よりも容器４１０から離れた位置に配置されている。つまり、電気機器７００は、正極端子４２０及び負極端子４３０の上端よりも上方に配置されている。
【００５７】
また、外蓋部３１０は、蓋体３００の外側に配置される部材である。つまり、外蓋部３１０は、蓋体３００の上部を構成する板状の部材であり、内蓋部３２０上に電気機器７００が配置された状態で、電気機器７００を覆うように内蓋部３２０に接続されることで、電気機器７００を保護する。
【００５８】
以上のように、本発明の実施の形態に係る蓄電装置１０によれば、電気機器７００は、蓄電素子４００の容器４１０から離隔して配置されているため、蓄電素子４００から発せられる熱が電気機器７００に伝わるのを抑制することができる。したがって、蓄電装置１０によれば、蓄電素子４００から発せられる熱による電気機器７００への影響を低減することができる。
【００５９】
また、電気機器７００は、蓄電素子４００の電極端子である正極端子４２０及び負極端子４３０よりも容器４１０から離れた位置に配置されているため、当該電極端子周りに流れる大電流によって発生する磁場の影響を電気機器７００が受けるのを抑制することができる。
【００６０】
また、蓋体３００の内蓋部３２０は外蓋部３１０と複数の蓄電素子４００との間に配置され、電気機器７００は内蓋部３２０と外蓋部３１０との間に配置されている。つまり、電気機器７００と複数の蓄電素子４００との間に、内蓋部３２０が配置されている。このため、蓄電素子４００から発せられる熱が内蓋部３２０によって遮断される。したがって、蓄電装置１０によれば、蓄電素子４００から発せられる熱による電気機器７００への影響を低減することができる。
【００６１】
また、電気機器７００は、蓄電素子４００を収容している外装体本体２００の開口部２１０よりも外方に配置されているため、蓄電素子４００から離れて配置されている。このため、蓄電装置１０によれば、蓄電素子４００から発せられる熱による電気機器７００への影響を低減することができる。
【００６２】
また、内蓋部３２０は、電気機器７００と蓄電素子４００の安全弁４１３との間に、安全弁４１３を覆うように配置されている。つまり、蓄電素子４００の電気機器７００側の面（上面）に安全弁４１３が設けられており、安全弁４１３の電気機器７００側の方向（上方）に内蓋部３２０が配置されている。このため、蓄電素子４００の電気機器７００側の面に安全弁４１３が設けられている場合でも、安全弁４１３から発せられる熱が内蓋部３２０によって遮断され、蓄電素子４００の安全弁４１３からの熱による電気機器７００への影響を低減することができる。
【００６３】
また、内蓋部３２０は、蓄電素子４００の安全弁４１３が配置されている容器蓋部４１２の面に対向して、容器蓋部４１２の面を覆うように配置されているため、安全弁４１３からの熱が内蓋部３２０によって遮断され、蓄電素子４００の安全弁４１３からの熱による電気機器７００への影響を低減することができる。
【００６４】
また、内蓋部３２０と複数の蓄電素子４００との間に規制部材５００及びバスバー６００を配置することで、電気機器７００と蓄電素子４００との間のスペース（電気機器７００と安全弁４１３との間のスペース）を確保することができるため、蓄電素子４００から発せられる熱（安全弁４１３から発せられる熱）による電気機器７００への影響をさらに低減することができる。
【００６５】
また、電気機器７００である、複数の蓄電素子４００の充電状態や放電状態などを監視するための制御基板への、蓄電素子４００から発せられる熱（安全弁４１３から発せられる熱）による影響を低減することができる。
【００６６】
（変形例）
次に、上記実施の形態の変形例について、説明する。図１０は、本発明の実施の形態の変形例に係る電気機器７００と蓄電素子４００の安全弁４１３との位置関係を示す平面図である。具体的には、同図は、内蓋部３２０に電気機器７００を配置した場合の電気機器７００と蓄電素子４００の安全弁４１３とを、上方から見た図である。
【００６７】
上記実施の形態では、複数の蓄電素子４００が有する安全弁４１３の中には、電気機器７００の直下に配置された安全弁４１３があったが、本変形例では、同図に示すように、複数の蓄電素子４００が有する安全弁４１３は、電気機器７００の直下を避けるように、電気機器７００から離れた位置に配置されている。つまり、電気機器７００は、電気機器７００から複数の蓄電素子４００の方向を見た場合（上方から見た場合）に、複数の蓄電素子４００が有する安全弁４１３と異なる位置に配置されている。
【００６８】
以上のように、本発明の実施の形態の変形例に係る蓄電装置によれば、電気機器７００から蓄電素子４００の方向を見た場合（上方から見た場合）に、電気機器７００と蓄電素子４００の安全弁４１３とが異なる位置に配置されている。このため、安全弁４１３からの熱による電気機器７００への影響をさらに低減することができる。
【００６９】
以上、本発明の実施の形態及びその変形例に係る蓄電装置について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００７０】
例えば、上記実施の形態及びその変形例では、蓄電装置１０は、複数の蓄電素子４００を備えていることとしたが、蓄電装置１０は、１つの蓄電素子４００しか備えていないことにしてもよい。
【００７１】
また、上記実施の形態及びその変形例では、電気機器７００は制御基板であることとしたが、電気機器７００は、蓄電素子４００への充電や蓄電素子４００からの放電を遮断するリレーや、充電や放電状態を電流（電圧）で監視するためのシャント抵抗であることにしてもよい。
【００７２】
また、上記実施の形態及びその変形例では、外装体１００内方に配置される全ての蓄電素子４００が安全弁４１３を有していることにしたが、安全弁４１３を有していない蓄電素子４００が含まれていてもよい。
【００７３】
また、上記実施の形態及びその変形例では、規制部材５００及びバスバー６００は、内蓋部３２０と蓄電素子４００との間に配置されることにしたが、規制部材５００またはバスバー６００の配置位置は、上記位置に限定されない。また、蓄電装置１０は規制部材５００を有することなく、外装体１００に蓄電素子４００を直接固定することにしてもよい。
【産業上の利用可能性】
【００７４】
本発明は、リチウムイオン二次電池などの蓄電素子や電気機器を備えた蓄電装置等に適用できる。
【符号の説明】
【００７５】
１０  蓄電装置
１００  外装体
２００  外装体本体
２１０  開口部
３００  蓋体
３１０  外蓋部
３２０  内蓋部
３２１  正極外部端子
３２２  負極外部端子
４００  蓄電素子
４１０  容器
４１１  容器本体
４１２  容器蓋部
４１３  安全弁
４２０  正極端子
４３０  負極端子
５００  規制部材
６００  バスバー
７００  電気機器
【図１】
2014199722.tif 000003
【図２】
2014199722.tif 000004
【図３】
2014199722.tif 000005
【図４】
2014199722.tif 000006
【図５】
2014199722.tif 000007
【図６】
2014199722.tif 000008
【図７】
2014199722.tif 000009
【図８】
2014199722.tif 000010
【図９】
2014199722.tif 000011
【図１０】
2014199722.tif 000012